Podtech/llm-jp-corpus-v4-ja_patent huggingface dataset:
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
複数の非耐荷重ハウジングを備える組立品であって、
各ハウジングは、複数の空洞を備え、
各空洞は、自由に積層された電気化学的貯蔵セルの積層体を前記ハウジング内に備え、
各電気化学的貯蔵セルは、
アノード電極と、
カソード電極と、
前記アノード電極と前記カソード電極の間にあるセパレータと、を備え、
前記組立品は、前記組立品に加わる圧力が、自由に積層された電気化学的貯蔵セルの前記アノード電極および前記カソード電極によって支えられるように構成される組立品。
【請求項２】
請求項１記載の組立品において、
結合部材および少なくとも１個の圧力板をさらに備え、前記結合部材および前記圧力板が圧力を前記組立品に加えるように構成される組立品。
【請求項３】
請求項２記載の組立品において、
前記少なくとも１個の圧力板と前記ハウジングの間にある１個以上の適合要素をさらに  備える組立品。
【請求項４】
請求項１記載の組立品において、
前記積層体内の隣接する電気化学的貯蔵セル間に交互に配置された複数のカソード集電子とアノード集電子をさらに備え、
上から見た前記カソード集電子および前記アノード集電子が、上から見た複数のカソード電極およびアノード電極よりも大きい面積を有する組立品。
【請求項５】
請求項１記載の組立品において、
前記電気化学的貯蔵セルが、ハイブリッド装置を備える組立品。
【請求項６】
請求項５記載の組立品において、
前記カソード電極がアルカリイオンインターカレーション材料を含み、前記アノード電極が擬似容量性または電気化学二重層容量性の材料を含む組立品。
【請求項７】
請求項５記載の組立品において、
前記アノード電極が材料の混合物を含み、前記材料の一つがファラデ反応においてイオンをインターカレートし、もう一つが擬似容量性または電気化学二重層容量性の材料である組立品。
【請求項８】
請求項１記載の組立品において、
前記電気化学的貯蔵セルは、前記アノード電極および前記カソード電極がイオンをインターカレートする電池セルを備える組立品。
【請求項９】
請求項２記載の組立品において、
複数のハウジングが互いに入れ子になるように積層され、
前記電気化学的貯蔵セルの積層体のアノード電極およびカソード電極が、前記組立品に加えられた荷重の少なくとも９０％を担う組立品。
【請求項１０】
請求項９記載の組立品において、
前記積層体が、積層組立品のモジュールにおける積層組立品の耐荷重構造体である組立品。
【請求項１１】
請求項１記載の組立品において、
前記組立品を支持するパレットをさらに備え、前記パレットが、前記組立品を安定化し、前記組立品と前記パレット上の１個以上の追加の組立品の間を電気的に相互接続する部材を含む組立品。
【請求項１２】
請求項１１記載の組立品において、
前記パレットが、充電制御／パワーエレクトロニクスをさらに備える組立品。
【請求項１３】
請求項９記載の組立品において、
各ハウジングが蓋を備え、前記ハウジングが前記結合部材および前記少なくとも１個の圧力板によって前記組立品に加えられた圧力を担わず、各ハウジングおよび各蓋が前記組立品に加えられた荷重の０〜１０％を担うように、各ハウジングおよび各蓋が柔軟な材料を含む組立品。
【請求項１４】
請求項１記載の組立品において、
前記組立品は、
（Ａ）各空洞が、前記空洞内の電解質レベルを超えてその隣接する空洞と流体的に接続するか、
（Ｂ）各空洞が、ゲル状または液体電解質のうちの少なくとも一つで部分的に満たされるか、または
（Ｃ）前記ハウジングが、複数の空洞のいずれかの内部に蓄積し得るガスを放出するように構成された単一の圧力逃がし弁を備えるかのうちの一つ以上を含む組立品。
【請求項１５】
請求項１４記載の組立品において、
各ハウジングが、前記空洞間に共有ガス空間をさらに備え、
隣接する空洞を分離する壁の穴が、隣接する空洞によってガスを共有できるように構成される組立品。
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
燃料電池電極板における流体分配チャネルを形成するための方法であって、前記極板の前記厚さを通して圧力を適用しながら、ローラと平らな打ち型との対抗表面の間で前記極板を横断させ、それによって前記極板の表面を横切って一連のチャネルを形成することを含む、方法。
【請求項２】
前記平らな打ち型の前記表面は、前記一連のチャネルを形成するように構成される一連の隆線を備える、請求項１に記載の方法。
【請求項３】
前記一連のチャネルは、２５μｍ以下の断面寸法を有する、請求項１または請求項２に記載の方法。
【請求項４】
前記一連のチャネルは、１５μｍ〜２０μｍの範囲の深さまたは幅を有する、請求項３に記載の方法。
【請求項５】
前記一連のチャネルの前記深さまたは幅の偏差は、平均値の５％以内である、請求項４に記載の方法。
【請求項６】
前記ローラの回転軸は、前記極板が前記ローラと前記打ち型との間で通過させられる方向に対して９０°未満の角度で配向される、請求項１〜５のいずれかに記載の方法。
【請求項７】
前記ローラの前記表面は、前記回転軸に沿って先細にされる、請求項６に記載の方法。
【請求項８】
前記一連のチャネルは、前記極板の前記表面を横切ってチャネルの並行配列を備える、請求項１〜７のいずれかに記載の方法。
【請求項９】
燃料電池電極板において流体分配チャネルを形成するための装置であって、圧力下で前記ローラと打ち型との表面の間を横断させられる極板において一連のチャネルを形成するように構成され、配置されるローラおよび平らな打ち型を備える、装置。
【請求項１０】
前記平らな打ち型の前記表面は、前記極板において前記一連のチャネルを形成するように構成される一連の隆線を備える、請求項９に記載の装置。
【請求項１１】
前記一連の隆線は、２５μｍ以下の断面寸法を有する前記一連のチャネルを形成するように構成される、請求項１０に記載の装置。
【請求項１２】
前記隆線は、深さまたは幅が１５μｍ〜２０μｍの範囲である前記一連のチャネルを形成するように構成される、請求項１０に記載の装置。
【請求項１３】
前記一連の隆線は、前記平らな打ち型の前記表面を横切る平行な隆線の配列を備える、請求項１０〜１２のいずれかに記載の装置。
【請求項１４】
前記極板の折り畳み領域内の表面内に形成されるチャネルの第１および第２の配列を備える燃料電池電極板であって、チャネルの前記第１の配列は、前記折り畳み領域の第１の内部面を横切って前記極板の縁から延在し、チャネルの前記第２の配列は、前記第１の方向に横断する第２の方向において前記折り畳み領域の第２の対抗面を横切って延在する、燃料電池電極板。
【請求項１５】
前記折り畳み領域は、前記極板の前記厚さを通り、流体分配チャネルの前記配列と流体連通しているポートを備える、請求項１４に記載の燃料電池電極板。
【請求項１６】
前記ローラは、円滑で均一なローラを含み、前記平らな打ち型は前記一連のチャネルを形成するように構成される一連の峰部を含む、請求項１に記載の方法。
【請求項１７】
前記ローラは、円滑で均一なローラを含み、前記平らな打ち型は一連の峰部を含む、請求項９に記載の装置。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
ガラスシートを成形するための装置において、
上方内壁部分と、下方内壁部分と、外壁とを備えたエンクロージャであって、前記外壁と、前記上方内壁部分および前記下方内壁部分との間にプレナムを形成するように、前記外壁が前記上方内壁部分および前記下方内壁部分から間隔を空けて配置されている、エンクロージャ、
前記エンクロージャ内に位置付けられた、トラフと合流成形面とを備えている成形本体、
前記プレナム内に位置付けられた複数の加熱素子、
前記プレナムを横切って延在し、かつ最も下方の加熱素子と鉛直に隣接する加熱素子との間に位置付けられた、熱バリアであって、断熱層と構造部材とを備えている熱バリア、および、
前記上方内壁部分と前記下方内壁部分との間に位置付けられ、かつ前記上方内壁部分を前記下方内壁部分から分離する、断熱ブロックを備え、
前記構造部材が前記上方内壁部分および前記下方内壁部分の両方から熱的に隔離されるように、前記構造部材の片側が該断熱ブロック内に埋め込まれていることを特徴とする装置。
【請求項２】
前記構造部材が前記断熱ブロックで支持されていることを特徴とする請求項１記載の装置。
【請求項３】
前記下方内壁部分が耐火性断熱部材で支持されていることを特徴とする請求項１または２記載の装置。
【請求項４】
前記熱バリアの前記断熱層の厚さが、２ｃｍ以上であることを特徴とする請求項１から３いずれか１項記載の装置。
【請求項５】
ガラスシートを成形するための装置において、
上方内壁部分と、下方内壁部分と、外壁とを備えたエンクロージャであって、前記外壁と前記上方内壁部分および前記下方内壁部分との間にプレナムを形成するように、前記外壁が前記上方内壁部分および前記下方内壁部分から間隔を空けて配置されている、エンクロージャ、
前記エンクロージャ内に位置付けられた、トラフと合流成形面とを備えている成形本体、
前記プレナム内に位置付けられた複数の加熱素子、
前記プレナムを横切って延在し、かつ前記複数の加熱素子のうち最も下方の加熱素子と鉛直に隣接する加熱素子との間に位置付けられた、熱バリアであって、断熱層と構造部材とを備えている熱バリア、
前記上方内壁部分と前記下方内壁部分との間に位置付けられ、かつ前記上方内壁部分を前記下方内壁部分から分離する、断熱ブロック、および、
前記下方内壁部分より下に位置付けられ、かつ該下方内壁部分を支持している、耐火性断熱部材、を備え、
前記構造部材が前記上方内壁部分および前記下方内壁部分の両方から熱的に隔離されるように、前記構造部材の片側が前記断熱ブロック内に埋め込まれていることを特徴とする装置。
【請求項６】
前記断熱ブロックが前記下方内壁部分と直接接触していることを特徴とする請求項５記載の装置。
【請求項７】
前記耐火性断熱部材が前記下方内壁部分と直接接触していることを特徴とする請求項５または６記載の装置。
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
ＳｉＯ2粒子を水性液体中に含む懸濁液の提供、該懸濁液の凍結および前記液体の除去を含む、ＳｉＯ2顆粒の製造方法であって、前記凍結したＳｉＯ2懸濁液を解凍して液相および凝集したＳｉＯ2粒子の沈殿物を形成させ、前記液体を除去して、残留湿分を除去するために前記沈殿物を乾燥させてＳｉＯ2顆粒を形成させる前記方法において、前記懸濁液が、ｐＨ値７超の調整のために、アルカリ金属を含まない塩基の添加物を窒素水素化物の形態で含むことを特徴とする前記方法。
【請求項２】
前記懸濁液の凍結での含水量が、少なくとも３０質量％、最大９０質量％であることを特徴とする、請求項１に記載の方法。
【請求項３】
前記懸濁液の凍結での含水量が、少なくとも７０質量％、最大９０質量％であることを特徴とする、請求項１に記載の方法。
【請求項４】
前記ＳｉＯ2懸濁液の凍結が、−５℃〜−４０℃の温度範囲で行われることを特徴とする、請求項１に記載の方法。
【請求項５】
前記懸濁液が、少なくとも１２時間の期間にわたって凍結されることを特徴とする、請求項１から４までのいずれか１項に記載の方法。
【請求項６】
窒素水素化物として、アンモニア（ＮＨ3）または炭酸アンモニウム（（ＮＨ4）2ＣＯ3）またはヘキサメチレンテトラミン（Ｃ6Ｈ12Ｎ4）またはカルバミン酸アンモニウム（ＣＨ6Ｎ2Ｏ2）が添加されることを特徴とする、請求項１から５までのいずれか１項に記載の方法。
【請求項７】
前記窒素水素化物が、ｐＨ値が９．５〜１４の範囲になる量で前記水性液体に添加されることを特徴とする、請求項１から６までのいずれか１項に記載の方法。
【請求項８】
前記凝集したＳｉＯ2粒子の沈殿物が、前記液相の除去後に、完全脱塩水中でスラリー化することにより洗浄されることを特徴とする、請求項１から７までのいずれか１項に記載の方法。
【請求項９】
前記沈殿物の残留湿分を除去するための乾燥工程が、１００℃〜５００℃の温度範囲で行われることを特徴とする、請求項１から８までのいずれか１項に記載の方法。
【請求項１０】
前記沈殿物が、乾燥の間に動かされることを特徴とする、請求項１から９までのいずれか１項に記載の方法。
【請求項１１】
前記液相の除去が、さらなる水性液体の分離下に、前記凝集したＳｉＯ2粒子の沈殿物のデカンテーション、およびそれに続く遠心分離を含むことを特徴とする、請求項１から１０までのいずれか１項に記載の方法。
【請求項１２】
前記ＳｉＯ2懸濁液が、密閉容器内で凍結されることを特徴とする、請求項１から１１までのいずれか１項に記載の方法。
【請求項１３】
前記水性ＳｉＯ2懸濁液が、ＳｉＯ2粒子の他にドーパントも含むことを特徴とする、請求項１から１２までのいずれか１項に記載の方法。
【請求項１４】
ドーパントとして、以下の元素の群：Ａｌ、Ｂ、Ｐ、Ｎｂ、Ｔａ、Ｍｇ、Ｇａ、Ｚｎ、Ｃａ、Ｓｒ、Ｂａ、Ｃｕ、Ｓｂ、Ｂｉ、Ｇｅ、Ｈｆ、Ｚｒ、Ｔｉ、ならびにあらゆる希土類金属から選択される、１種または複数の酸化物（またはその前駆体）が使用されることを特徴とする、請求項１３に記載の方法。
【請求項１５】
５００μｍまでの顆粒粒子の粒径を有するＳｉＯ2顆粒が得られることを特徴とする、請求項１から１４までのいずれか１項に記載の方法。
【請求項１６】
請求項１３に記載の方法により製造されるＳｉＯ2顆粒の、レーザー活性コンポーネントのための光学活性材料の出発材料としての使用。
【請求項１７】
請求項１３に記載の方法により製造されるＳｉＯ2顆粒の、ドライエッチングプロセスにおける使用のための石英ガラスを製造するための出発材料としての使用。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
ガラスリボンを基部点から出口点まで延伸させるガラスリボン形成過程を経てガラスを作製する方法であって、
（I）前記ガラスリボンを、前記基部点での温度に対応する初期温度から処理開始温度まで冷却するステップと、
（II）前記ガラスリボンを、前記処理開始温度から処理終了温度まで冷却するステップと、
（III）前記ガラスリボンを、前記処理終了温度から前記出口点での温度に対応する出口温度まで冷却するステップと、
を含み、
前記ガラスリボンの仮想温度が、ステップ（ＩＩ）において前記ガラスリボンの実温度とずれており、ステップ（ＩＩ）の時間が、ステップ（Ｉ）の時間およびステップ（ＩＩＩ）の時間より大幅に長いことを特徴とする、方法。
【請求項２】
ステップ（Ｉ）、（ＩＩ）および（ＩＩＩ）の後、前記ガラスにイオン交換処理を実施するステップを更に含むことを特徴とする、請求項１に記載の方法。
【請求項３】
前記ガラスリボンが、ステップ（Ｉ）またはステップ（ＩＩＩ）よりステップ（ＩＩ）において、より大幅に長い距離を移動することを特徴とする、請求項１および２に記載の方法。
【請求項４】
前記処理開始温度が、１０１０ポアズ（１０９Ｐａ．ｓ）から１０１３ポアズ（１０１２Ｐａ．ｓ）の粘度に対応していることを特徴とする、請求項１から３のいずれか一項に記載の方法。
【請求項５】
ステップ（ＩＩ）が、前記基部点から前記出口点までの距離の増大を含むことを特徴とする、請求項１から４のいずれか一項に記載の方法。
【請求項６】
ガラスリボンを基部点から出口点まで延伸させるガラスリボンの形成過程を経てガラスを作製する方法であって、
（Ｉ）前記ガラスリボンを、第１の冷却速度で、前記基部点での温度に対応する初期温度から処理開始温度まで冷却するステップと、
（ＩＩ）ガラスリボンを、第２の冷却速度で前記処理開始温度から処理終了温度まで冷却するステップと、
（ＩＩＩ）前記ガラスリボンを、第３の冷却速度で、前記処理終了温度から前記出口点での温度に対応する出口温度まで冷却するステップと、
を含み、
前記第２の平均冷却速度が、前記第１の平均冷却速度および前記第３の平均冷却速度より低いことを特徴とする、方法。
【請求項７】
ステップ（Ｉ）、（ＩＩ）および（ＩＩＩ）の後、前記ガラスにイオン交換処理を実施するステップを更に含むことを特徴とする、請求項６に記載の方法。
【請求項８】
前記ガラスリボンが、ステップ（Ｉ）またはステップ（ＩＩＩ）よりステップ（ＩＩ）において、より大幅に長い距離を移動することを特徴とする、請求項６または７に記載の方法。
【請求項９】
前記処理開始温度が、１０１０ポアズ（１０９Ｐａ．ｓ）から１０１３ポアズ（１０１２Ｐａ．ｓ）の粘度に対応していることを特徴とする、請求項６から８のいずれか一項に記載の方法。
【請求項１０】
前記第１の冷却速度が、前記第２の冷却速度より大幅に速いことを特徴とする、請求項６から９のいずれか一項に記載の方法。
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
式ＩＩの化学構造を有するビス四級アルカロイド塩：
【化１】
2015516945.tif 000001
〔式中、
Ｒ１は、エチルまたはビニルであり、
Ｒ２は、水素またはメトキシであり、
Ａｒ１およびＡｒ２は、
（１）  Ａｒ１が、
【化２】
2015516945.tif 000002
であり、Ａｒ２がアリルである、
（２）  Ａｒ２が
【化３】
2015516945.tif 000003
であり、そしてＡｒ１が、
【化４】
2015516945.tif 000004
である、または
（３）Ａｒ２が、
【化５】
2015516945.tif 000005
であり、そしてＡｒ１が、
【化６】
2015516945.tif 000006
ＣＨ３であり、そして
ＸおよびＹは、独立して、ハライドアニオンである〕。
【請求項２】
式ＩＩａの化学構造
【化７】
2015516945.tif 000007
〔式中、
Ｒ１は、エチルまたはビニルであり、
Ｒ２は、水素またはメトキシであり、そして、
ＸおよびＹは、独立して、ハライドアニオンである〕
を有する、請求項１に記載のビス四級アルカロイド塩。
【請求項３】
Ｒ１がビニルであり、Ｒ２がメトキシである、請求項２に記載のビス四級アルカロイド塩。
【請求項４】
ＸおよびＹが、独立して、ＢｒまたはＩである、請求項３に記載のビス四級アルカロイド塩。
【請求項５】
以下から選択されるビス四級アルカロイド塩：
【化８】
2015516945.tif 000008
【表１】
2015516945.tif 000009
【請求項６】
以下の式のビス四級アルカロイド塩：
【化９】
2015516945.tif 000010
【手続補正２】
【補正対象書類名】明細書
【補正対象項目名】０１０９
【補正方法】変更
【補正の内容】
【０１０９】
表２
【化３７】
2015516945.tif 000011
【表３】
2015516945.tif 000012
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
マラセチア属により生じる真菌感染症及び／又はマラセチア属関連コンディションの治療及び／又は予防に使用するためのポリペプチドであって、アミノ酸約25〜200個の配列を含み、前記配列中の実質的に全てのアミノ酸がリシンである、ポリペプチド。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
経肺投与のための医薬組成物を作製するための方法であって、吸入可能な薬理活性のある材料が共振音響ブレンダー内で音響ブレンドされる段階を含み、前記医薬組成物は、局所的経肺投与用であり、好ましくは前記薬理活性のある材料は局所効果用であり、代替的に前記薬理活性のある材料は全身的効果用である、方法。
【請求項２】
前記音響ブレンドする段階は、5Hzから約1,000Hzまでの範囲、最も好ましくは約60から61Hzまでの範囲で実施される、請求項1に記載の方法。
【請求項３】
前記音響ブレンドする段階は、少なくとも1分間、または最大60分間実行される、請求項1または2に記載の方法。
【請求項４】
前記医薬組成物は、賦形剤材料を含む、請求項1から3のいずれか一項に記載の方法。
【請求項５】
前記医薬組成物は、添加剤材料をさらに含む、請求項1から4のいずれか一項に記載の方法。
【請求項６】
前記薬理活性のある材料は、粒子状物質である、請求項1から5のいずれか一項に記載の方法。
【請求項７】
前記薬理活性のある材料は、長時間作用型ムスカリン性拮抗薬および/または長時間作用型βアドレナリン受容体作動薬および/または吸入コルチコステロイドから選択され、前記薬理活性のある材料は、ブデゾニド、フマル酸フォルモテロール、臭化グリコピロニウム、マレイン酸インダカテロール、臭化ウメクリジニウム、ビランテロールトリフェナテート、臭化チオトロピウム、キシナホ酸サルメテロール、またはプロピオン酸フルチカゾンから選択される、請求項1から6のいずれか一項に記載の方法。
【請求項８】
前記賦形剤材料は、粒子状物質であり、前記賦形剤は、ラクトースである、請求項4から7のいずれか一項に記載の方法。
【請求項９】
前記賦形剤は、α-ラクトース一水和物であり、好ましくはD10≦250μm、D50≦500μm、およびD90≦800μmである、請求項8に記載の方法。
【請求項１０】
前記添加剤材料は、粒子状物質であり、前記添加剤材料は、アミノ酸、リン脂質または、ステアリン酸金属塩を含む、請求項5に記載の方法。
【請求項１１】
前記ステアリン酸金属塩は、ステアリン酸マグネシウムまたはステアリン酸カルシウムのいずれかであり、好ましくは、添加剤はステアリン酸マグネシウムである、請求項10に記載の方法。
【請求項１２】
前記薬理活性のある材料は、音響ブレンドの前に微粉化される、請求項1から11のいずれか一項に記載の方法。
【請求項１３】
微粉化は、インパクトミリングまたはジェットミリング、好ましくはエアジェットミリングによるものである、請求項12に記載の方法。
【請求項１４】
請求項1から13のいずれか一項に記載の前記方法を使用して得られる組成物を含む、吸入器デバイス。
【請求項１５】
医薬品において使用するための、請求項1から13のいずれか一項に記載の前記方法によって得られる医薬組成物。
【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
熱分解法ケイ酸の造粒処理により得られた多孔質の顆粒粒子（９）から成る流動性のＳｉＯ２顆粒をガラス化することによって合成石英ガラス粒状物を製造する方法であって、
前記ＳｉＯ２顆粒のガラス化を、ムライト含有のセラミックス製の回転管（６）を備えたロータリキルン（１）内で行い、該ムライト含有のセラミックス製の回転管（６）の製造のために、少なくとも７０％のモル割合を有するＳｉＯ２およびＡｌ２Ｏ３を含む原料粉末（１０３）を、粉末溶射法によって、成形コア（１０５）にムライトを含む層（１０８）を形成しながら被着させ、前記成形コア（１０５）を次いで取り除き、前記セラミックス製の回転管（６）を少なくとも３０体積％のヘリウムおよび／または水素を含む処理ガスで満たすか、該処理ガスで洗浄することを特徴とする、合成石英ガラス粒状物を製造する方法。
【請求項２】
前記セラミックス製の回転管（６）の製造のために使用される粉末溶射法が、プラズマ粉末溶射法である、請求項１記載の方法。
【請求項３】
前記セラミックス製の回転管（６）を製造するための前記原料粉末（１０３）は、少なくとも７５ｍｏｌ％のＡｌ２Ｏ３を含み、ＳｉＯ２およびＡｌ２Ｏ３を合わせた含有量が、ムライト含有のセラミックス製の回転管（６）の少なくとも９８質量％を占める、請求項１または２記載の方法。
【請求項４】
セラミックス製のムライト含有の材料から成る回転管（６）を使用し、該材料は、０．５質量％未満のアルカリ含有量を有している、請求項１記載の方法。
【請求項５】
セラミックス製のムライト含有の材料から成る回転管（６）を使用し、該材料は、０．１質量％未満のアルカリ含有量を有している、請求項１記載の方法。
【請求項６】
前記原料粉末（１０３）の少なくとも一部は、合成されている、請求項１から５までのいずれか１項記載の方法。
【請求項７】
２．５〜２．９ｇ／ｃｍ３の範囲の密度を有する、セラミックス製のムライト含有の材料から成る回転管（６）を使用する、請求項１から５までのいずれか１項記載の方法。
【請求項８】
１０体積％未満、好適には５体積％未満の連続気泡率を有する、セラミックス製のムライト含有の材料から成る回転管（６）を使用する、請求項１から５までのいずれか１項記載の方法。
【請求項９】
前記処理ガスは、少なくとも５０％のヘリウムおよび／または水素を含む、請求項１から５までのいずれか１項記載の方法。
【請求項１０】
前記処理ガスは、少なくとも９５％のヘリウムおよび／または水素を含む、請求項１から５までのいずれか１項記載の方法。
【請求項１１】
前記顆粒粒子（９）を、前記ガラス化時に、１３００℃〜１６００℃の範囲の温度にまで加熱する、請求項１から５までのいずれか１項記載の方法。
【請求項１２】
前記顆粒粒子（９）を振動にさらす、請求項１１記載の方法。
【請求項１３】
前記顆粒粒子（９）の加熱を、前記回転管（６）を取り囲む抵抗加熱装置（８）により行う、請求項１１または１２記載の方法。
【請求項１４】
前記ムライト含有の回転管（６）の使用により、石英ガラス粒状物に１〜１５質量ｐｐｍの範囲のＡｌ２Ｏ３のドーピングを行う、請求項１から５までのいずれか１項記載の方法。
【請求項１５】
前記回転管（６）は、完全に前記ムライト含有のセラミックスから成っている、請求項１から５までのいずれか１項記載の方法。
【請求項１６】
前記顆粒粒子（９）は、１００μｍ〜２０００μｍの平均粒径を有している（それぞれＤ５０値）、請求項１から５までのいずれか１項記載の方法。
【請求項１７】
前記顆粒粒子（９）は、２００μｍ〜４００μｍの平均粒径を有している（それぞれＤ５０値）、請求項１から５までのいずれか１項記載の方法。
【請求項１８】
前記顆粒粒子（９）は、狭い粒子径分布を有しており、Ｄ９０値に対応する粒径が、Ｄ１０値に対応する粒径の最大で二倍の大きさである、請求項１から５までのいずれか１項記載の方法。
【請求項１９】
前記ＳｉＯ２顆粒（９）は、ガラス化前に、ハロゲン含有の雰囲気中で加熱による精製をうけ、前記ＳｉＯ２顆粒の前記精製は、第２のロータリキルン内で行う、請求項１から５までのいずれか１項記載の方法。
【請求項２０】
第２のロータリキルンを前記ＳｉＯ２顆粒（９）の乾燥および精製のために使用し、中心軸線（７）の方向で見て、乾燥ゾーンと、精製ゾーンとを含む複数のゾーンに分割し、隣接するゾーンは開口を備えた分離ディスクまたはラビリンストラップによって分割されている、請求項１９記載の方法。
【請求項２１】
前記回転管内での精製を、塩素含有の雰囲気で９００℃〜１２５０℃の範囲の温度で行う、請求項１９または２０記載の方法。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
バイオフィルム関連疾患を治療、軽減および／または防止するための、ａ）オステオポンチン（ＯＰＮ）と、ｂ）カルシウムおよび／またはストロンチウムを含む第１の粒子とを含むことを特徴とするナノ粒子凝集体。
【請求項２】
請求項１に記載のナノ粒子凝集体において、前記バイオフィルム関連疾患が細菌感染症を含むことを特徴とするナノ粒子凝集体。
【請求項３】
請求項１または２に記載のナノ粒子凝集体において、前記バイオフィルム関連疾患が口腔疾患であることを特徴とするナノ粒子凝集体。
【請求項４】
請求項３に記載のナノ粒子凝集体において、前記バイオフィルム関連疾患がう歯、歯肉炎、または歯周炎であることを特徴とするナノ粒子凝集体。
【請求項５】
請求項１または２に記載のナノ粒子凝集体において、前記バイオフィルム関連疾患が、細菌性心内膜炎、慢性創傷感染症、インプラント感染症、中耳炎、嚢胞性線維症、およびこれらの組み合わせからなる群から選択される疾患であることを特徴とするナノ粒子凝集体。
【請求項６】
請求項１に記載のナノ粒子凝集体において、細菌感染症、例えば細菌性創傷感染症を治療、軽減および／または防止するためのものであることを特徴とするナノ粒子凝集体。
【請求項７】
微生物バイオフィルムの増殖を低減もしくは防止するため、または微生物バイオフィルムを除去するための、ａ）ＯＰＮと、ｂ）カルシウムおよび／またはストロンチウムを含む第１の粒子とを含むことを特徴とするナノ粒子凝集体。
【請求項８】
請求項７に記載のナノ粒子凝集体において、前記バイオフィルムが歯垢であることを特徴とするナノ粒子凝集体。
【請求項９】
請求項１乃至８の何れか一項に記載のナノ粒子凝集体において、前記バイオフィルムが、細胞１個当たり少なくとも５０個のＯＰＮ分子のＯＰＮ結合能力を有する細菌を含有することを特徴とするナノ粒子凝集体。
【請求項１０】
請求項１乃至９の何れか一項に記載のナノ粒子凝集体において、前記第１の粒子がカルシウムを含むことを特徴とするナノ粒子凝集体。
【請求項１１】
請求項１乃至１０の何れか一項に記載のナノ粒子凝集体において、前記第１の粒子がカルシウムおよび／またはストロンチウムの無機塩を含むことを特徴とするナノ粒子凝集体。
【請求項１２】
請求項１０に記載のナノ粒子凝集体において、前記無機塩がリン酸塩種、硫酸塩、および／または炭酸塩を含むことを特徴とするナノ粒子凝集体。
【請求項１３】
請求項１乃至１２の何れか一項に記載のナノ粒子凝集体において、前記第１の粒子が少なくとも５０％（ｗ／ｗ）のリン酸カルシウムを含むことを特徴とするナノ粒子凝集体。
【請求項１４】
請求項１乃至１３の何れか一項に記載のナノ粒子凝集体において、前記第１の粒子がナノ粒子であることを特徴とするナノ粒子凝集体。
【請求項１５】
請求項１乃至１４の何れか一項に記載のナノ粒子凝集体において、最大で５ミクロンの流体力学的半径を有することを特徴とするナノ粒子凝集体。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
異常ＳＴＩＮＧ機能に関連付けられる疾患または障害を有する被験体の免疫反応を変調するための医薬組成物であって、前記被験体の異常ＳＴＩＮＧ機能を改善するのに有効な量で前記被験者に投与される、ＳＴＩＮＧ機能を変調する作用剤と薬学的に許容可能な担体とを含む医薬組成物。
【請求項２】
請求項１に記載の医薬組成物において、前記作用剤がＳＴＩＮＧ機能を増加させる低分子であることを特徴とする医薬組成物。
【請求項３】
請求項１に記載の医薬組成物において、前記作用剤がＳＴＩＮＧ機能を減少させる低分子であることを特徴とする医薬組成物。
【請求項４】
請求項１に記載の医薬組成物において、前記作用剤が細胞内条件下でＳＴＩＮＧに結合する核酸分子であることを特徴とする医薬組成物。
【請求項５】
請求項４に記載の医薬組成物において、前記核酸分子が４０〜１５０塩基対長の一本鎖ＤＮＡであることを特徴とする医薬組成物。
【請求項６】
請求項４に記載の医薬組成物において、前記核酸分子が４０〜１５０塩基対長の二本鎖ＤＮＡであることを特徴とする医薬組成物。
【請求項７】
請求項４に記載の医薬組成物において、前記核酸分子が６０〜１２０塩基対長の二本鎖ＤＮＡであることを特徴とする医薬組成物
【請求項８】
請求項４に記載の医薬組成物において、前記核酸分子が８０〜１００塩基対長の二本鎖ＤＮＡであることを特徴とする医薬組成物。
【請求項９】
請求項４に記載の医薬組成物において、前記核酸分子が８５〜９５塩基対長の二本鎖ＤＮＡであることを特徴とする医薬組成物。
【請求項１０】
請求項４に記載の医薬組成物において、前記核酸分子がヌクレアーゼ耐性ヌクレオチドを含むことを特徴とする医薬組成物。
【請求項１１】
請求項４に記載の医薬組成物において、前記核酸分子が前記核酸分子の膜貫通輸送を促進する分子に関連付けられることを特徴とする医薬組成物。
【請求項１２】
請求項１に記載の医薬組成物において、前記疾患または障害がＤＮＡ依存性炎症性疾患であることを特徴とする医薬組成物。
【請求項１３】
炎症性免疫細胞で浸潤された癌性腫瘍を有する被験体の癌を治療するための医薬組成物であって、前記癌性腫瘍に浸潤する炎症性免疫細胞の数を少なくとも５０％低減するのに有効な量で前記被験者に投与される、ＳＴＩＮＧの機能および発現をダウンレギュレートする作用剤と薬学的に許容可能な担体とを含む医薬組成物。
【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
入口開口と出口開口とを有する少なくとも１つの容器であって、前記入口開口と前記出口開口との間に提供され、吸着質を吸着可能であって、吸着することにより吸着エネルギーを放出する吸着剤を含む前記少なくとも１つの容器と、
吸着質含有ガスを、前記少なくとも１つの容器の内部を通して運ぶガス送出デバイスと、
を含み、
前記少なくとも１つの容器内の吸着エネルギーによって暖められた前記ガスを、昇温で暖められるべき場所に導くために、前記少なくとも１つの容器の前記出口開口に接続されているガス導管が流路に熱交換器を設けることなく提供されている、暖房デバイス。
【請求項２】
前記暖房デバイスは、自動車の暖房システムの一部である、請求項１に記載の暖房デバイス。
【請求項３】
前記吸着剤は、ゼオライトを含む、請求項１に記載の暖房デバイス。
【請求項４】
前記少なくとも１つの容器の前記内部は、外部雰囲気に対し気密に密閉可能である、請求項１に記載の暖房デバイス。
【請求項５】
前記吸着剤を再生するためのヒータ、真空ポンプ及び／又はガス源を更に含む、請求項１に記載の暖房デバイス。
【請求項６】
前記暖房デバイスは、携帯可能なデバイスである、請求項１に記載の暖房デバイス。
【請求項７】
入口開口と出口開口とを有する少なくとも１つの容器であって、前記入口開口と前記出口開口との間に提供され、吸着質を吸着可能であって、吸着することにより吸着エネルギーを放出する吸着剤を含む、少なくとも１つの容器を提供するステップと、
吸着質含有ガスを、前記吸着剤を含む前記少なくとも１つの容器の内部を通して運ぶステップであって、前記吸着質は前記吸着剤によって吸着され、これにより前記少なくとも１つの容器の前記内部を通り導かれるガスが吸着エネルギーによって暖められる、前記ステップと、
暖められたガスを、流路に熱交換器を設けることなく暖められるべき場所に導くステップと、
を含む、暖房方法。
【請求項８】
窒素が前記吸着質として使用される、請求項７に記載の方法。
【請求項９】
前記吸着剤を再生するために、酸素含有ガスが使用される、請求項７に記載の方法。
【請求項１０】
前記吸着剤を再生するために、熱及び／又は真空が使用される、請求項７に記載の方法。
【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
６５モル％〜７０モル％のＳｉＯ２；
９モル％〜１４モル％のＡｌ２Ｏ３；
０モル％〜１１モル％のＢ２Ｏ３；
５モル％〜１０モル％未満の酸化アルカリＲ２Ｏ（式中、Ｒは、Ｌｉ、ＮａおよびＫの少なくとも１つである）；および
３モル％〜１１モル％の二価酸化物ＭＯ（式中、Ｍは、Ｍｇ、Ｃａ、Ｂａ、ＳｒＯおよびＺｎの少なくとも１つである）；
を含むガラス組成物であって、該ガラス組成物から形成されるガラスの平均熱膨張率が５５×１０−７／℃以下であり、該ガラス組成物における圧縮応力が、４１０℃での８時間の１００％ＫＮＯ３塩浴におけるイオン交換後で４００ＭＰａ以上であり、かつ、液相粘度が３５キロポアズ以上である、ガラス組成物。
【請求項２】
６５モル％〜６８モル％のＳｉＯ２；
１０モル％〜１３モル％のＡｌ２Ｏ３；
６モル％〜９モル％のＢ２Ｏ３；
６モル％〜９モル％未満の酸化アルカリＲ２Ｏ（式中、Ｒは、Ｌｉ、ＮａおよびＫの少なくとも１つである）；および
７モル％〜１０モル％の二価酸化物ＭＯ（式中、Ｍは、Ｍｇ、ＣａおよびＺｎの少なくとも１つである）；
を含む、請求項１記載のガラス組成物。  
【請求項３】
ガラス組成物におけるＢ２Ｏ３の濃度が７モル％未満であること；
ガラス組成物における二価酸化物ＭＯの濃度が９モル％未満であること；または
前記二価酸化物ＭＯがＭｇＯおよびＣａＯを含み、ＭｇＯの濃度（モル％）がＣａＯの濃度（モル％）よりも大きいこと；
の少なくとも１つである、請求項１または２記載のガラス組成物。
【請求項４】
イオン交換により強化されたものである、請求項１から３いずれか１項記載のガラス組成物。
【請求項５】
第１のガラスクラッド層と第２のガラスクラッド層との間に配置されるガラスコア層を含むガラス物品であって、前記第１のガラスクラッド層および前記第２のガラスクラッド層が、
５５モル％〜７０モル％のＳｉＯ２；
９モル％〜１４モル％のＡｌ２Ｏ３；
０モル％〜１１モル％のＢ２Ｏ３；
５モル％〜１０モル％未満の酸化アルカリＲ２Ｏ（式中、Ｒは、Ｌｉ、ＮａおよびＫの少なくとも１つである）；および
３モル％〜１１モル％の二価酸化物ＭＯ（式中、Ｍは、Ｍｇ、Ｃａ、Ｂａ、ＳｒＯおよびＺｎの少なくとも１つである）；
を含むガラス組成物から形成される、ガラス物品。
【請求項６】
前記第１のガラスクラッド層および前記第２のガラスクラッド層が６５モル％超のＳｉＯ２を含む、請求項５記載のガラス物品。
【請求項７】
前記ガラス組成物が、
６５モル％〜６８モル％のＳｉＯ２；
１０モル％〜１３モル％のＡｌ２Ｏ３；
６モル％〜９モル％のＢ２Ｏ３；
６モル％〜９モル％未満の酸化アルカリＲ２Ｏ（式中、Ｒは、Ｌｉ、ＮａおよびＫの少なくとも１つである）；および
７モル％〜１０モル％の二価酸化物ＭＯ（式中、Ｍは、Ｍｇ、ＣａおよびＺｎの少なくとも１つである）；
を含む、請求項５または６記載のガラス物品。  
【請求項８】
前記ガラス組成物におけるＢ２Ｏ３の濃度が７モル％未満であること；
前記ガラス組成物における二価酸化物ＭＯの濃度が９モル％未満であること；または
前記二価酸化物ＭＯがＭｇＯおよびＣａＯを含み、ＭｇＯの濃度（モル％）がＣａＯの濃度（モル％）よりも大きいこと；
の少なくとも１つである、請求項５から７いずれか１項記載のガラス物品。
【請求項９】
前記ガラス組成物がイオン交換により強化されたものである、請求項５から８いずれか１項記載のガラス物品。
【請求項１０】
前記ガラスコア層が所与の平均コア熱膨張率ＣＴＥコアを有し、かつ、
前記第１のガラスクラッド層および前記第２のガラスクラッド層が、前記平均コア熱膨張率ＣＴＥコアよりも小さい平均クラッド時熱膨張率ＣＴＥクラッドを有する、
請求項５から９いずれか１項記載のガラス物品。
【請求項１１】
前記平均クラッド時熱膨張率ＣＴＥクラッドが２０℃から３００℃までの温度範囲において５５×１０−７／℃以下である、請求項１０記載のガラス物品。
【請求項１２】
ＬＣＤディスプレイおよびＬＥＤディスプレイ、コンピュータモニタ、現金自動預入支払機（ＡＴＭ）を含む消費者用電子デバイスまたは商用電子デバイスにおけるカバーガラス用途またはガラスバックプレーン用途のための、タッチスクリーン用途またはタッチセンサー用途のための、携帯電話、パーソナルメディアプレーヤーおよびタブレット型コンピューターを含む携帯型電子デバイスのための、光起電性用途のための、建築用ガラス用途のための、自動車用または車両用のガラス用途のための、あるいは、商用または家庭用の電化製品用途のための請求項５から１１いずれか１項記載のガラス物品の使用。
【請求項１３】
ＬＣＤディスプレイおよびＬＥＤディスプレイ、コンピュータモニタ、現金自動預入支払機（ＡＴＭ）を含む消費者用電子デバイスまたは商用電子デバイスにおけるカバーガラス用途またはガラスバックプレーン用途のための、タッチスクリーン用途またはタッチセンサー用途のための、携帯電話、パーソナルメディアプレーヤーおよびタブレット型コンピューターを含む携帯型電子デバイスのための、光起電性用途のための、建築用ガラス用途のための、自動車用または車両用のガラス用途のための、あるいは、商用または家庭用の電化製品用途のための請求項１から４いずれか１項記載のガラス組成物の使用。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2015516955.tif 000001
式中、
Ｒ１はそれが付着されているカルボニル基と共にカルボン酸の残基であるように、Ｒ１は、６〜２０個の炭素原子を含有するアルキル残基、または１〜６個の二重結合を有する９〜２５個の炭素原子を含有するアルケン残基であり、および
カルボニル炭素原子に結合されているアミノ酸残基は、１−アミノシクロアルキルカルボン酸（ＡＣＣＡ）の残基であり、および
ｎは、１、２、３または４である、
で表される化合物および／またはその食用塩を含み；
ここで、式（Ｉ）の化合物は、Ｎ−パルミトイル１−アミノ−シクロプロピルカルボン酸（Ｃ１６：０−ＡＣＣＡ）、Ｎ−ステアロイル１−アミノ−シクロプロピルカルボン酸（Ｃ１８：０−ＡＣＣＡ）、Ｎ−リノレオイル１−アミノシクロプロピルカルボン酸（Ｃ１８：２−ＡＣＣＡ）、Ｎ−リノレノイル１−アミノ−シクロプロピルカルボン酸（Ｃ１８：２−ＡＣＣＡ）、Ｎ−オレオイル１−アミノ−シクロプロピルカルボン酸（Ｃ１８：１−ＡＣＣＡ）、Ｎ−（９−パルミテノイル）１−アミノ−シクロプロピルカルボン酸（Ｃ１６：１−ＡＣＣＡ）、Ｎ−デカノイル１−アミノ−シクロプロピルカルボン酸（Ｃ１０：０−ＡＣＣＡ）およびＮ−ゲラノイル１−アミノ−シクロプロピルカルボン酸（Ｃ１０：２−ＡＣＣＡ）からなる群から選択される、
フレーバー組成物。
【請求項２】
少なくとも１つのフレーバー共成分を含む、請求項１に記載のフレーバー組成物。
【請求項３】
糖類、脂肪、塩、ＭＳＧ、カルシウムイオン、リン酸イオン、有機酸、タンパク質、プリン類およびそれらの混合物からなる群から選択される成分を含む、請求項１または２に記載のフレーバー組成物。
【請求項４】
担体材料およびアジュバントを含む、請求項１〜３のいずれか一項に記載のフレーバー組成物。
【請求項５】
アジュバントが抗酸化剤である、請求項４に記載のフレーバー組成物。
【請求項６】
エマルジョン形態の、請求項１〜５のいずれか一項に記載のフレーバー組成物。
【請求項７】
粉末形態の、請求項１〜５のいずれか一項に記載のフレーバー組成物。
【請求項８】
請求項１〜７のいずれか一項に記載のフレーバー組成物を含む、食用組成物。
【請求項９】
請求項１〜７のいずれか一項に記載のフレーバー組成物を含み、スクロース、高フルクトースコーンシロップ、フルクトースおよびグルコースから選択される炭水化物甘味料、またはアスパルテーム、アセスルファムＫ、スクラロース、シクラマート、ナトリウムサッカリン、ネオテーム、レバウジオシドＡ、および／または他のステビアベースの甘味料から選択される高強度非栄養甘味料を含有する、カロリーまたはノンカロリー飲料。
【請求項１０】
請求項１〜７のいずれか一項に記載のフレーバー組成物を含む、大豆ベースの食用組成物。
【請求項１１】
請求項１に定義された化合物を０．０１〜１重量％含む、貯蔵液。
【請求項１２】
溶媒がエタノール、トリアセチン、グリセロールおよびミグリオールまたはこれらの混合物からなる群から選択される、請求項１１に記載の貯蔵液。
【請求項１３】
食用組成物における、請求項１に定義された化合物の使用。
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
高い４Ｒ：３Ｒタウアイソフォーム比を有する対象における発作を低下させる方法であって、前記方法は、アンチセンスオリゴヌクレオチドを対象に投与するステップを含み、対象の中枢神経系における４Ｒ：３Ｒタウ比を低下させ、アンチセンスオリゴヌクレオチドは、非二環式２’修飾糖部分を含み、２’位における置換基が２’−ＯＭｅ及び２’−Ｏ−メトキシエチル（ＭＯＥ）から選択される、方法。
【請求項２】
対象における高い４Ｒ：３Ｒタウアイソフォーム比が、スプライシング異常によって引き起こされる、請求項１に記載の方法。
【請求項３】
対象の脳および脊髄における凝集したタウの蓄積を低下させるステップをさらに含む、請求項１に記載の方法。
【請求項４】
オリゴヌクレオチドが、単回ボーラス投与を使用して投与される、請求項１に記載の方法。
【請求項５】
オリゴヌクレオチドが、ポンプを使用して投与される、請求項１に記載の方法。
【請求項６】
中枢神経系におけるタウの総量が、変化しない、請求項１に記載の方法。
【請求項７】
高い４Ｒ：３Ｒタウアイソフォーム比を有する対象における神経変性症候群を改質する方法であって、前記方法は、アンチセンスオリゴヌクレオチドを対象の中枢神経系に投与するステップを含み、アンチセンスオリゴヌクレオチドは対象の中枢神経系における高い４Ｒ：３Ｒタウ比を低下させ、アンチセンスオリゴヌクレオチドは、非二環式２’修飾糖部分を含み、２’位における置換基が２’−ＯＭｅ及び２’−Ｏ−メトキシエチル（ＭＯＥ）から選択される、方法。
【請求項８】
対象における高い４Ｒ：３Ｒタウアイソフォーム比が、スプライシング異常によって引き起こされる、請求項７に記載の方法。
【請求項９】
神経変性症候群が、タウに関連している神経変性症候群である、請求項７に記載の方法。
【請求項１０】
タウに関連している神経変性症候群が、タウ多量体化に関連している、請求項９に記載の方法。
【請求項１１】
神経変性症候群が、アルツハイマー病、進行性核上麻痺、ボクサー痴呆、前頭側頭型認知症、染色体に関連したパーキンソニズム、リティコ−ボディグ病、タングル優位型認知症、神経節膠腫、神経節細胞腫、髄膜血管腫症、亜急性硬化性全脳炎、鉛脳障害、結節性硬化症、ハラーホルデン−スパッツ病、ピック病、大脳皮質基底核変性症、嗜銀性グレイン病、核上麻痺、大脳皮質基底核変性症、前頭側頭型認知症または前頭側頭葉変性症である、請求項７に記載の方法。
【請求項１２】
神経変性症候群が、アルツハイマー病、進行性核上麻痺、大脳皮質基底核変性症または前頭側頭型認知症である、請求項７に記載の方法。
【請求項１３】
神経変性症候群を改質するステップが、対象の行動的表現型を改良する、請求項７に記載の方法。
【請求項１４】
対象の行動的表現型が、発作である、請求項１３に記載の方法。
【請求項１５】
神経変性症候群を改質するステップが、対象における神経変性疾患発症の進行を遅延させる、請求項７に記載の方法。
【請求項１６】
神経変性症候群を改質するステップが、対象の脳および脊髄における凝集したタウの蓄積を低下させる、請求項７に記載の方法。
【請求項１７】
オリゴヌクレオチドが、単回ボーラス投与を使用して投与される、請求項７に記載の方法。
【請求項１８】
オリゴヌクレオチドが、ポンプを使用して投与される、請求項７に記載の方法。
【請求項１９】
中枢神経系におけるタウの総量を低下させずに、中枢神経系における異常な４Ｒ：３Ｒタウ比を低下させる、請求項７に記載の方法。
【請求項２０】
アンチセンスオリゴヌクレオチドが、配列番号１２、配列番号１３、配列番号１４、配列番号１５、配列番号１６、配列番号１７、又は配列番号１８の核酸塩基配列を有する、請求項７に記載の方法。
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2015516956.tif 000001
式中、
Ｒ１は、６〜２０個の炭素原子を含有するアルキル残基、または１〜６個の二重結合を有する９〜２５個の炭素原子を含有するアルケン残基であり、Ｒ１は、それが付着されているカルボニル基と共に、カルボン酸の残基である、
で表される化合物、またはその食用塩を含み、式（Ｉ）の化合物が、Ｎ−ゲラノイル−Ｍｅｔ、Ｎ−パルミトイル−Ｍｅｔ、Ｎ−パルミテノイル−Ｍｅｔ、Ｎ−ステアロイル−Ｍｅｔ、Ｎ−リノレオイル−ＭｅｔおよびＮ−リノレノイル−Ｍｅｔからなる群から選択される、フレーバー組成物。
【請求項２】
請求項１に記載の化合物を０．０１〜１重量％含む、貯蔵液。
【請求項３】
溶媒が、エタノール、トリアセチン、グリセロールおよびミグリオール、またはこれらの組み合わせからなる群から選択される、請求項２に記載の貯蔵液。
【請求項４】
食用組成物における請求項１に記載のフレーバー組成物の使用。
【請求項５】
少なくとも１つのフレーバー共成分を含む、請求項１に記載のフレーバー組成物。
【請求項６】
フレーバー共成分が、糖類、脂肪、塩、ＭＳＧ、カルシウムイオン、リン酸イオン、有機酸、タンパク質、プリン類およびこれらの混合物からなる群から選択される、請求項１に記載のフレーバー組成物。
【請求項７】
担体材料およびアジュバントを含む、請求項１に記載のフレーバー組成物。
【請求項８】
アジュバントが抗酸化剤である、請求項７に記載のフレーバー組成物。
【請求項９】
エマルジョン形態の、請求項１に記載のフレーバー組成物。
【請求項１０】
粉末形態の、請求項１に記載のフレーバー組成物。
【請求項１１】
請求項１に記載のフレーバー組成物を含む、食用組成物。
【請求項１２】
請求項１に記載のフレーバー組成物を含む、スクロース、高フルクトースコーンシロップ、フルクトースおよびグルコースから選択される炭水化物甘味料、またはアスパルテーム、アセスルファムＫ、スクラロース、シクラマート、ナトリウムサッカリン、ネオテーム、レバウジオシドＡ、および／または他のステビアベースの甘味料から選択される高強度非栄養甘味料を含有する、請求項１１に記載のカロリーまたはノンカロリー飲料。
【請求項１３】
請求項１に記載のフレーバー組成物を含む、請求項１１に記載の大豆ベースの食用組成物。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
対象のインフルエンザ感染を処置又は予防するのに用いるＩＩ型膜貫通セリンプロテアーゼ（ＴＴＳＰ）阻害剤を含んでなる医薬組成物。
【請求項２】
インフルエンザウイルスにさらされている又は感染している対象の肺における、インフルエンザ感染肺胞マクロファージ、インフルエンザ感染好中球及び／又はインフルエンザ感染上皮細胞の蓄積を予防又は低減するのに用いるＩＩ型膜貫通セリンプロテアーゼ（ＴＴＳＰ）阻害剤を含んでなる医薬組成物。
【請求項３】
ＴＴＳＰ阻害剤は、膜貫通プロテアーゼセリンＳ１部材２（ＴＭＰＲＳＳ２）阻害剤である、請求項１又は２に記述の医薬組成物。
【請求項４】
ＴＭＰＲＳＳ２阻害剤は、小分子プロテアーゼ阻害剤、ペプチド阻害剤、及び核酸ベースの阻害剤から成る群から選択される、請求項３に記述の医薬組成物。
【請求項５】
ＴＭＰＲＳＳ２阻害剤は、ＴＭＰＲＳＳ２のプロテアーゼ活性を阻害するが、いかなるその他のＴＴＳＰのプロテアーゼ活性を実質的に阻害しない、請求項３に記述の医薬組成物。
【請求項６】
ＴＴＳＰ阻害剤は、ＴＭＰＲＳＳ２を特異的に結合しそしてそのタンパク質分解活性を阻害する抗体又はその抗原結合フラグメントである、請求項１又は２に記述の医薬組成物。
【請求項７】
抗体又はその抗原結合フラグメントは、ＴＭＰＲＳＳ２のプロテアーゼ活性を阻害するがいかなるその他のＴＴＳＰのプロテアーゼ活性を実質的に阻害しない、請求項６に記述の医薬組成物。
【請求項８】
医薬組成物は全身投与用に製剤化される、請求項１〜７のいずれか１項に記述の医薬組成物。
【請求項９】
医薬組成物は皮下投与用に製剤化される、請求項８に記述の医薬組成物。
【請求項１０】
医薬組成物は静脈内投与用に製剤化される、請求項８に記述の医薬組成物。
【請求項１１】
更に第２の治療薬を含んでなる、請求項１〜１０のいずれか１項に記述の医薬組成物。
【請求項１２】
第２の治療薬は抗ウイルス薬である、請求項１１に記述の医薬組成物。
【請求項１３】
抗ウイルス薬は、アマンタジン、リマンタジン、オセルタミビル、及びザナミビルから成る群から選択される、請求項１２に記述の医薬組成物。
【請求項１４】
第２の治療薬はインフルエンザウイルスワクチンである、請求項１１に記述の医薬組成物。
【請求項１５】
第２の治療薬は抗インフルエンザ抗体である、請求項１１に記述の医薬組成物。
【請求項１６】
抗インフルエンザ抗体は血球凝集素（ＨＡ）を特異的に結合する抗体である、請求項１５に記述の医薬組成物。